【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
協調マルチポイント送信を適用する送信ポイントから送信されるチャネル状態測定用参照信号を用いて複数種類のチャネル状態情報を生成する生成部と、
複数種類のチャネル状態情報の中からフィードバックする所定のチャネル状態情報を選択する選択部と、
前記所定のチャネル状態情報を上り制御チャネル（ＰＵＣＣＨ）を介してフィードバックする送信部と、を有し、
前記選択部は、少なくとも各チャネル状態情報に対応するチャネル状態測定用参照信号のリソースインデックスに基づいて、前記所定のチャネル状態情報を選択することを特徴とするユーザ端末。
【請求項２】
前記選択部は、前記各チャネル状態情報に対応するチャネル状態測定用参照信号のリソースインデックスとして、少なくとも希望信号推定用のリソース（ＳＭＲ）インデックス及び／又は干渉信号推定用のリソース（ＩＭＲ）インデックスを用いることを特徴とする請求項１に記載のユーザ端末。
【請求項３】
前記ユーザ端末がキャリアアグリゲーションを適用し、複数種類のチャネル状態情報に対応するチャネル状態測定用参照信号のリソースインデックスが同じとなる場合、前記選択部はセルインデックスに基づいて、フィードバックする所定のチャネル状態情報を選択することを特徴とする請求項１又は請求項２に記載のユーザ端末。
【請求項４】
前記ユーザ端末がキャリアアグリゲーションを適用する場合、前記選択部は、複数種類のチャネル状態情報の中から、各チャネル状態情報のＰＵＣＣＨ報告タイプに設定された優先度に基づいて優先度が低いチャネル状態情報を除外し、ＰＵＣＣＨ報告タイプの優先度が同じチャネル状態情報に対して、前記チャネル状態測定用参照信号のリソースインデックスに基づいて前記所定のチャネル状態情報を選択することを特徴とする請求項１又は請求項２に記載のユーザ端末。
【請求項５】
前記各チャネル状態情報に対応するチャネル状態測定用参照信号のリソースインデックスに関する情報は、上位レイヤシグナリングによりユーザ端末に通知されることを特徴とする請求項１から請求項４のいずれかに記載のユーザ端末。
【請求項６】
前記選択部は、前記各チャネル状態情報に対応するチャネル状態測定用参照信号のリソースインデックスとして、一つ又は複数の希望信号推定用のリソース（ＳＭＲ）インデックスと一つ又は複数の干渉信号推定用のリソース（ＩＭＲ）インデックスとの組み合わせに対して設定されるインデックスを用いることを特徴とする請求項１に記載のユーザ端末。
【請求項７】
協調マルチポイント送信を適用する送信ポイントと接続するユーザ端末の無線通信方法であって、
送信ポイントから送信されるチャネル状態測定用参照信号を用いて複数種類のチャネル状態情報を生成するステップと、
複数種類のチャネル状態情報の中からフィードバックする所定のチャネル状態情報を選択するステップと、
前記所定のチャネル状態情報を上り制御チャネル（ＰＵＣＣＨ）を介してフィードバックするステップと、を有し、
少なくとも各チャネル状態情報に対応するチャネル状態測定用参照信号のリソースインデックスに基づいて、前記所定のチャネル状態情報を選択することを特徴とする無線通信方法。
【請求項８】
協調マルチポイント送信を適用してユーザ端末と接続する無線基地局であって、
チャネル状態測定用参照信号のリソースインデックスに関する情報を生成する生成部と、
前記ユーザ端末に対して、チャネル状態測定用参照信号と、前記リソースインデックスに関する情報とを送信する送信部と、
前記ユーザ端末から上り制御チャネル（ＰＵＣＣＨ）を介してフィードバックされる所定のチャネル状態情報を受信する受信部と、を有し、
前記ユーザ端末が、前記リソースインデックスに関する情報に基づいて複数のチャネル状態情報の中から前記所定のチャネル状態情報を選択してフィードバックすることを特徴とする無線基地局。
【請求項９】
協調マルチポイント送信を適用する無線基地局と、前記無線基地局に接続するユーザ端末と、を具備する無線通信システムであって、
前記無線基地局は、チャネル状態測定用参照信号と、リソースインデックスに関する情報とを前記ユーザ端末に送信する送信部と、前記ユーザ端末から上り制御チャネル（ＰＵＣＣＨ）を介してフィードバックされる所定のチャネル状態情報を受信する受信部と、を有し、
前記ユーザ端末は、チャネル状態測定用参照信号を用いて複数種類のチャネル状態情報を生成する生成部と、複数種類のチャネル状態情報の中からフィードバックする所定のチャネル状態情報を選択する選択部と、前記所定のチャネル状態情報を上り制御チャネル（ＰＵＣＣＨ）を介してフィードバックする送信部と、を有し、前記選択部は、少なくとも各チャネル状態情報に対応するチャネル状態測定用参照信号のリソースインデックスに基づいて、前記所定のチャネル状態情報を選択することを特徴とする無線通信システム。
【請求項１０】
協調マルチポイント送信を適用する送信ポイントから送信されるチャネル状態測定用参照信号を用いて複数種類のチャネル状態情報を生成する生成部と、
複数種類のチャネル状態情報を上り共有チャネル（ＰＵＳＣＨ）を介してフィードバックする送信部と、を有し、
前記送信部は、少なくとも各チャネル状態情報に対応するチャネル状態測定用参照信号のリソースインデックスに基づいて、上り共有チャネル（ＰＵＳＣＨ）に配置する順序を制御することを特徴とするユーザ端末。
【請求項１１】
協調マルチポイント送信を適用する送信ポイントと接続するユーザ端末の無線通信方法であって、
送信ポイントから送信されるチャネル状態測定用参照信号を用いて複数種類のチャネル状態情報を生成するステップと、
複数種類のチャネル状態情報を上り共有チャネル（ＰＵＳＣＨ）を介してフィードバックするステップと、を有し、
少なくとも各チャネル状態情報に対応するチャネル状態測定用参照信号のリソースインデックスに基づいて、上り共有チャネル（ＰＵＳＣＨ）に配置する順序を制御することを特徴とする無線通信方法。
【請求項１２】
協調マルチポイント送信を適用してユーザ端末と接続する無線基地局であって、
チャネル状態測定用参照信号のリソースインデックスに関する情報を生成する生成部と、
前記ユーザ端末に対して、チャネル状態測定用参照信号と、前記リソースインデックスに関する情報とを送信する送信部と、
前記ユーザ端末から上り共有チャネル（ＰＵＳＣＨ）を介してフィードバックされる所定のチャネル状態情報を受信する受信部と、を有し、
前記ユーザ端末が、前記リソースインデックスに関する情報に基づいて前記上り共有チャネルに配置する順序を制御してフィードバックすることを特徴とする無線基地局。
【請求項１３】
協調マルチポイント送信を適用する無線基地局と、前記無線基地局に接続するユーザ端末と、を具備する無線通信システムであって、
無線基地局は、チャネル状態測定用参照信号と、リソースインデックスに関する情報とを前記ユーザ端末に送信する送信部と、前記ユーザ端末から上り共有チャネル（ＰＵＳＣＨ）を介してフィードバックされる所定のチャネル状態情報を受信する受信部と、を有し、
前記ユーザ端末は、チャネル状態測定用参照信号を用いて複数種類のチャネル状態情報を生成する生成部と、複数種類のチャネル状態情報を上り共有チャネル（ＰＵＳＣＨ）を介してフィードバックする送信部と、を有し、前記送信部は、少なくとも各チャネル状態情報に対応するチャネル状態測定用参照信号のリソースインデックスに基づいて、上り共有チャネル（ＰＵＳＣＨ）に配置する順序を制御することを特徴とする無線通信システム。
【手続補正２】
【補正対象書類名】明細書
【補正対象項目名】００１１
【補正方法】変更
【補正の内容】
【００１１】
本発明のユーザ端末は、協調マルチポイント送信を適用する送信ポイントから送信されるチャネル状態測定用参照信号を用いて複数種類のチャネル状態情報を生成する生成部と、複数種類のチャネル状態情報の中からフィードバックする所定のチャネル状態情報を選択する選択部と、前記所定のチャネル状態情報を上り制御チャネル（ＰＵＣＣＨ）を介してフィードバックする送信部と、を有し、前記選択部は、少なくとも各チャネル状態情報に対応するチャネル状態測定用参照信号のリソースインデックスに基づいて、前記所定のチャネル状態情報を選択することを特徴とする。